(57)【要約】【課題】簡単に積み重ねて配置することができると共に、積み重ねて配置した場合にも十分な強度で支えることのできる水槽を提供する。【解決手段】この発明に係る水槽１は、平面形状が角形の底板１１の各コーナ部に一体に形成された台座１４のそれぞれに支柱１２が立設され、各支柱１２間に透明側壁板１３がそれぞれ固定されてなり、前記支柱１２の上端から上方に向けて嵌合用突部２１が突設され、前記台座１４の底面に、前記嵌合用突部２１を受容し得る嵌合用凹部２２が形成されていることを特徴とする。【選択図】図３
2008092844.tif 000002
【特許請求の範囲】
【請求項１】
平面形状が角形の底板の各コーナ部にそれぞれ支柱が立設され、各支柱間に透明側壁板がそれぞれ固定されてなり、
前記支柱の上端から上方に向けて嵌合用突部が突設され、前記支柱の底面に、前記嵌合用突部を受容し得る嵌合用凹部が形成されていることを特徴とする水槽。
【請求項２】
平面形状が角形の底板の各コーナ部に一体に形成された台座のそれぞれに支柱が立設され、各支柱間に透明側壁板がそれぞれ固定されてなり、
前記支柱の上端から上方に向けて嵌合用突部が突設され、前記台座の底面に、前記嵌合用突部を受容し得る嵌合用凹部が形成されていることを特徴とする水槽。
【請求項３】
前記嵌合用突部は、その基端側から先端側に向かって縮径するガイド用傾斜面部を有する請求項１または２に記載の水槽。
【発明の詳細な説明】
【技術分野】
【０００１】
この発明は、複数段積み重ねて配置することが可能な水槽に関する。
【背景技術】
【０００２】
水槽を使った生物の飼育において、例えば熱帯魚や亀等の生物の種別毎に別けて飼育したい場合には、その生物種別に対応して複数の水槽を用意するのが一般的である。従来は、複数の水槽を積み重ねて配置するための手段がなかったことから、複数段の棚を備えたスチールラックを用意し、これら各棚にそれぞれ水槽を載置して生物の飼育をすることが多く行われていた。
【０００３】
一方、水槽上に適度な隙間を残して上蓋を設置できるように、水槽におけるガラス側壁板の端部同士が突き合わされたコーナ部の上端位置にスペーサ部材を嵌合状態に装着せしめることが提案されている（特許文献１参照）。
【特許文献１】特開２０００−１１６２７１号公報
【発明の開示】
【発明が解決しようとする課題】
【０００４】
しかしながら、ラックの各棚に水槽を載置して飼育する場合には、ラックを新たに用意しなければならず、高い費用がかかるという問題があった。
【０００５】
また、特許文献１の技術は、あくまでも上蓋のような軽量のものを支持するのに限られており、仮にそのスペーサ部材を使用して上蓋の代わりに同種の水槽を積み重ね状に設置するとすれば、上段の水槽及び該水槽内の水の全重量を下段の水槽のガラス側壁板上で支えることになり、強度上の保証が得られないという問題があった。
【０００６】
この発明は、かかる技術的背景に鑑みてなされたものであって、簡単に積み重ねて配置することができると共に、積み重ねて配置した場合にも十分な強度で支えることのできる水槽を提供することを目的とする。
【課題を解決するための手段】
【０００７】
前記目的を達成するために、本発明は以下の手段を提供する。
【０００８】
［１］平面形状が角形の底板の各コーナ部にそれぞれ支柱が立設され、各支柱間に透明側壁板がそれぞれ固定されてなり、
前記支柱の上端から上方に向けて嵌合用突部が突設され、前記支柱の底面に、前記嵌合用突部を受容し得る嵌合用凹部が形成されていることを特徴とする水槽。
【０００９】
［２］平面形状が角形の底板の各コーナ部に一体に形成された台座のそれぞれに支柱が立設され、各支柱間に透明側壁板がそれぞれ固定されてなり、
前記支柱の上端から上方に向けて嵌合用突部が突設され、前記台座の底面に、前記嵌合用突部を受容し得る嵌合用凹部が形成されていることを特徴とする水槽。
【００１０】
［３］前記嵌合用突部は、その基端側から先端側に向かって縮径するガイド用傾斜面部を有する前項１または２に記載の水槽。
【発明の効果】
【００１１】
［１］の発明によれば、水槽の支柱の上端の嵌合用突部を、他の水槽の支柱の底面の嵌合用凹部に嵌合させて配置すれば、簡単に水槽を積み重ねて安定状態に設置することができる。このように水槽同士を連結具等の他の部材を介さずに直接に積み重ねて配置できるので、積み重ね操作が非常に容易である。また、水槽の積み重ね状態において、下側の水槽の複数の支柱により上側の水槽を支持する構造になるので、下側の水槽の透明側壁板に上側の水槽の荷重がかからず、強度面でも問題なく使用することができる。
【００１２】
［２］の発明によれば、水槽の支柱の上端の嵌合用突部を、他の水槽の底板コーナ部の台座の底面の嵌合用凹部に嵌合させて配置すれば、簡単に水槽を積み重ねて安定状態に設置することができる。このように水槽同士を連結具等の他の部材を介さずに直接に積み重ねて配置できるので、積み重ね操作が非常に容易である。また、水槽の積み重ね状態において、下側の水槽の複数の支柱により上側の水槽を支持する構造になるので、下側の水槽の透明側壁板に上側の水槽の荷重がかからず、強度面でも問題なく使用することができる。更に、支柱を立設状態に支持する台座は、底板に一体に形成されているから、水槽の強度をより向上させることができる。
【００１３】
［３］の発明では、嵌合用突部は、その基端側から先端側に向かって縮径するガイド用傾斜面部を有するので、水槽を積み重ねて配置する際の嵌合用凹部への嵌合用突部の嵌合操作を非常にスムーズに行うことができ、これにより水槽の積み重ね操作がより一層容易化される。なお、この［３］の構成を採用する場合において、ガイド用傾斜面部の傾斜面は、平面であっても良いし、曲面であっても良い。
【発明を実施するための最良の形態】
【００１４】
この発明に係る水槽を図面を参照しつつ説明する。図１はこの発明の一実施形態に係る水槽（１）を積み重ねた状態の一例を示す斜視図であり、図２はこの積み重ね状態における嵌合部の嵌合構造を示す縦断面図であり、図３は積み重ねられた上下の水槽を離間状態で示す斜視図である。
【００１５】
前記水槽（１）は、平面形状が四角形の底板（１１）と、該底板（１１）の各コーナ部に立設された４本の支柱（１２）と、前記底板（１１）の各辺に対応して配置されて前記各支柱間に固定された４枚の透明側壁板（１３）とを備えている。
【００１６】
前記底板（１１）は、合成樹脂成形体からなるものであり、その各辺部には、前記透明側壁板（１３）の下端が嵌合される溝条（１１ａ）が形成されている（図４参照）。また、前記底板（１１）の各コーナ部に略筒状の台座（１４）が一体成形されている。しかして、前記略筒状の台座（１４）の上端開口に、前記支柱（１２）の下端から下方に向けて突設された突出部が内嵌め状態に嵌合されることによって、前記底板（１１）の各コーナ部にそれぞれ支柱（１２）が立設されている。
【００１７】
前記支柱（１２）は、合成樹脂製の棒状体からなる（図３参照）。また、図３に示すように、前記支柱（１２）の頂部から上方に向けて嵌合用突部（２１）が突設されている。この嵌合用突部（２１）の先端部には、基端側から先端側に向かって縮径するガイド用傾斜面部（２１ａ）が形成されている（図２参照）。本実施形態では、前記ガイド用傾斜面部（２１ａ）は、外形形状が略半球面状に形成されているが、特にこのような形状に限定されるものではなく、基端側から先端側に向かって縮径する傾斜面であればどのようなものでも良く、例えば他の曲面形状或いは平面形状を採用することもできる。
【００１８】
前記支柱（１２）の周面の一部には、図４に示すように、径方向内方へ凹入された凹入部（１６）が長さ方向に沿って形成されている。この凹入部（１６）は、仕切り壁（１７）によって隔てられた２つの縦溝部（１８）（１９）を有し、一方の縦溝部（１８）は、前記透明側壁板（１３）の側端部を嵌入させて外側から保持し、また他方の縦溝部（１９）は、前記透明側壁板（１３）と隣り合った透明側壁板（１３）の側端部を嵌入させて外側から保持している（図４参照）。
【００１９】
また、前記台座（１４）の底面には、前記嵌合用突部（２１）を受容し得る嵌合用凹部（２２）が形成されている（図３参照）。
【００２０】
本実施形態では、前記透明側壁板（１３）は四角形の平板ガラスからなる（図３参照）。勿論、この透明側壁板（１３）は、ガラスからなるものに特に限定されるものではなく、例えば透明の合成樹脂板からなるものであっても良く、また平板のものに限らず、例えば湾曲板であっても良い。
【００２１】
しかして、上記構成からなる水槽（１）を２個準備し、図３に示すように、一方の水槽（１）の真上に他方の水槽（１）を配置し、この状態で上側の水槽（１）を下降せしめることによって上側の水槽（１）の台座（１４）の底面の嵌合用凹部（２２）に下側の水槽（１）の支柱（１２）の頂部の嵌合用突部（２１）を嵌合すれば、図１に示すように、２個の水槽（１）（１）を２段に積み重ねて設置することができる。この時、図２に示すように、下側の水槽（１）の支柱（１２）の上端の嵌合用突部（２１）が、上側の水槽（１）の台座（１４）の嵌合用凹部（２２）に嵌合された嵌合構造が形成されるので、水槽（１）（１）を２段に安定状態に積み重ねることができる。
【００２２】
このように本発明の水槽（１）を用いれば、水槽（１）同士を連結具等の他の部材を介さずに直接に積み重ねて配置できるので、積み重ね操作を容易に行うことができる。更に、本実施形態では、嵌合用突部（２１）の先端部にガイド用傾斜面部（２１ａ）が形成されているから、積み重ね操作の際に下側の水槽（１）の嵌合用突部（２１）が上側の水槽（１）の嵌合用凹部（２２）内へ非常にスムーズに案内されるものとなり、これにより水槽（１）の積み重ね操作がより一層容易化される。
【００２３】
また、水槽（１）の積み重ね状態では、下側の水槽（１）の複数の支柱（１２）により上側の水槽（１）を支持する構造になるので（図１参照）、下側の水槽（１）の透明側壁板（１３）は上側の水槽（１）の荷重を受けることはなく、このため強度面でも問題なく使用することができる。
【００２４】
また、前記積み重ね状態において、下側の水槽（１）の透明側壁板（１３）の上端と上側の水槽（１）の底板（１１）の下面との間には隙間が存在するので、下側の水槽（１）内への空気の取り込みは維持され、従って水槽の積み重ね配置によって水槽内の生物に悪影響を及ぼすことはない。
【００２５】
なお、上記実施形態では、２個の水槽（１）（１）を上下２段に積み重ねて設置したが、特にこのような積み重ね態様に限定されるものではなく、例えば図５に示すようなピラミッド型の積み重ね態様で積み重ねて設置することもできる。
【００２６】
また、上記実施形態では、支柱（１２）を底板の台座（１４）に嵌合せしめることによって支柱（１２）を立設しているが、特にこのような台座を用いた立設構造に限定されるものではなく、例えば上端に嵌合用突部が突設されると共に底面に嵌合用凹部が設けられた支柱を、底板のコーナ部の側方位置に取付固定した構成を採用しても良く、この場合、積み重ねて配置するには、上側の水槽の支柱の底面の嵌合用凹部に下側の水槽の支柱の頂部の嵌合用突部を嵌合すれば良い。
【図面の簡単な説明】
【００２７】
【図１】この発明の一実施形態に係る水槽を積み重ねた状態の一例を示す斜視図である。
【図２】図１の積み重ね状態における嵌合部の嵌合構造を示す縦断面図である。
【図３】図１の積み重ねられた上下の水槽を離間した状態で示す斜視図である。
【図４】透明側壁板の支柱への取付構造を示す横断面図である。
【図５】この発明の一実施形態に係る水槽を積み重ねた状態の他の例を示す側面図である。
【符号の説明】
【００２８】
１…水槽
１１…底板
１２…支柱
１３…透明側壁板
１４…台座
２１…嵌合用突部
２１ａ…ガイド用傾斜面部
２２…嵌合用凹部
【図１】
2008092844.tif 000003
【図２】
2008092844.tif 000004
【図３】
2008092844.tif 000005
【図４】
2008092844.tif 000006
【図５】
2008092844.tif 000007